(57)【要約】【課題】ファイル整理を行い易いファイル名を、簡単な操作によって生成し、ファイルに付与することが可能なファイル名生成システムを提供する。【解決手段】  ファイル名生成システム１００は、入力Ｉ／Ｆ３４、メモリ３６、ファイル名生成部４２、操作部３０、記録部２８、文字認識部４４および文字列抽出部４６を備える。操作部３０は、ファイル名を構成する要素となる文字列の入力を受け付け可能である。記録部２８は、操作部が受け付けた文字列を登録文字列として記録可能である。文字認識部４４および文字列抽出部４６は、ファイル名を付与するべき画像ファイルに対して文字認識処理を行い、ファイル名を構成する要素となる文字列を抽出文字列として抽出可能である。ファイル名生成部４２は、登録文字列、抽出文字列、およびファイル名の重複防止のための付加要素を選択的に組み合わせてファイル名を生成する。【選択図】図２
2010165019.tif 000002
【特許請求の範囲】
【請求項１】
入力された画像ファイルに対応するファイル名を付与するように構成されたファイル名生成システムであって、
画像ファイルの入力を受け付ける画像ファイル入力部と、
前記画像ファイル入力手段に入力された画像ファイルを保存可能な画像ファイル保存部と、
前記画像ファイル保存部に保存される画像ファイルに付与すべきファイル名を生成するファイル名生成手段と、
ファイル名を構成する要素となる文字列の入力を受け付け可能な操作部と、
前記操作部が受け付けた文字列を登録文字列として記録可能な記録部と、
ファイル名を付与するべき画像ファイルに対して文字認識処理を行い、ファイル名を構成する要素となる文字列を抽出文字列として抽出可能な文字列抽出手段と、
を備え、
前記ファイル名生成手段は、前記登録文字列、前記抽出文字列、およびファイル名の重複防止のための付加要素を選択的に組み合わせてファイル名を生成するように構成されたファイル名生成システム。
【請求項２】
前記文字列抽出手段は、前記登録文字列と同一の文字列を認識したときに、この文字列に隣接する文字列を抽出文字列として抽出する請求項１に記載のファイル名生成システム。
【請求項３】
前記文字列抽出手段は、フォントサイズの大きな文字列から、または強調されたフォントを有する文字列から順に抽出文字列として抽出する請求項１または２に記載のファイル名生成システム。
【請求項４】
前記文字列抽出手段は、ユーザによって設定された指定範囲に含まれる文字列を抽出文字列として抽出する請求項１〜３のいずれか１項に記載のファイル名生成システム。
【請求項５】
前記操作部は、前記ファイル名生成手段が生成したファイル名の再編集操作を受け付け可能である請求項１〜４のいずれか１項に記載のファイル名生成システム。
【発明の詳細な説明】
【技術分野】
【０００１】
この発明は、画像信号をファイル形式の画像情報として記録し、記録された画像ファイルに対応するファイル名を付与するように構成されたファイル名生成システムに関する。
【背景技術】
【０００２】
従来、保管スペースの省スペース化や、管理および再利用を容易にするために、文書や画像を電子的に読み取ってファイル形式の画像データとしてハードディスクや記録メディア等に保存することが行われている。
【０００３】
その際、読み取った画像をファイル形式にし、この画像ファイルにファイル名を付与して保存するようにしているが、その方法としては、ユーザがキーボードなどを用いて任意にファイル名を生成したり、読み取り装置自身が持つ日時、時刻、機器、および名称連番等を適宜組み合わせて自動的にファイル名を生成するようにしたりしていた。
【０００４】
さらに近年では、自動的にファイル名を生成する際に、画像認識技術を利用するものが登場している。例えば、原稿の複数箇所のデータを認識した文字列を連結してファイル名を生成する技術が存在する（例えば、特許文献１参照。）。また、原稿文字認識の結果から出現頻度の高い文字列をファイル名として登録したり、文字列に通し番号や日時といったファイル名が同一にならないようにするためのユニークな情報を付加してファイル名としたりする技術も存在する（例えば、特許文献２参照。）。
【先行技術文献】
【特許文献】
【０００５】
【特許文献１】特開２００８−０７１０５０号公報
【特許文献２】特開２００６−２１１２６１号公報
【発明の概要】
【発明が解決しようとする課題】
【０００６】
しかしながら、ファイル名にする文字列は、そのファイルの内容をある程度把握できるようなものでないと管理および再利用が困難になる。従来のように、読み取り装置自身が自動的にファイル名を生成した場合、単なる数字や記号などが並ぶ文字列からなるファイル名となってしまい、そのままではファイル名に基づいてファイルの内容を把握するのが困難になる。このため、パーソナルコンピュータなどでファイル名の上書き等を行う必要があり、ユーザにとって煩雑な作業となっていた。
【０００７】
また、ユーザが直接ファイル名を入力する場合であっても、分類するためのキーワード群を覚えておいてそのキーワードを含めたファイル名を作成しないと、統一性のないファイル名を付与してしまうこととなり、後でファイルを整理することが困難になってしまう。
【０００８】
この発明の目的は、ファイル整理を行い易いファイル名を、簡単な操作によってファイルに付与することが可能なファイル名生成システムを提供することである。
【課題を解決するための手段】
【０００９】
この発明に係るファイル名生成システムは、入力された画像ファイルに対応するファイル名を付与するように構成される。この発明において、画像ファイルとは、画像データとして管理可能なすべてのファイルを意味するものとし、写真と文字の混合ファイルや専ら文字のみによって構成される文書ファイル等もこの発明の画像ファイルに含まれるものとする。
【００１０】
このファイル名生成システムは、画像ファイル入力部、画像ファイル保存部、ファイル名生成手段、操作部、記録部、および文字列抽出手段を備える。
【００１１】
画像ファイル入力部は、画像ファイルの入力を受け付ける。画像ファイル保存部は、画像ファイル入力手段に入力された画像ファイルを保存可能である。ファイル名生成手段は、画像ファイル保存部に保存される画像ファイルに付与すべきファイル名を生成する。
【００１２】
操作部は、ファイル名を構成する要素となる文字列の入力を受け付け可能である。記録部は、操作部が受け付けた文字列を登録文字列として記録可能である。
【００１３】
文字列抽出手段は、ファイル名を付与するべき画像ファイルに対して文字認識処理を行い、ファイル名を構成する要素となる文字列を抽出文字列として抽出可能である。文字列抽出手段は、例えば、登録文字列と同一の文字列を認識したときに、この文字列に隣接する文字列（登録文字列の前または後に位置する文字列）を抽出文字列として抽出する。
【００１４】
ファイル名生成手段は、登録文字列、抽出文字列、およびファイル名の重複防止のための付加要素を選択的に組み合わせてファイル名を生成するように構成される。
【００１５】
この構成においては、実際の画像ファイルに記載されている文字列を抽出するため、その画像に見合ったファイル名が生成される。また、予めユーザによって登録されている文字列を組み合わせることが可能であるため、ユーザがファイル管理し易いファイル名が、簡単な操作によって付与される。
【００１６】
さらに、ユーザはファイル名を構成する文字をすべてキー入力する必要がないため、少ないキー操作で、原稿の内容にあったファイル名が作成される。通常良く使われるファイル名の基本ワードを事前登録しておくことで、より業務に即した名付けができ、さらには、事前登録文字列と関連する文字列を効率的にスキャン原稿から抽出できるので、原稿の内容を的確に表現できる。
【発明の効果】
【００１７】
この発明によれば、ファイル整理を行い易いファイル名を、簡単な操作によって生成し、ファイルに付与することが可能になる。
【発明を実施するための形態】
【００１８】
以下、図を用いて、本発明の実施形態に係るファイル名生成システムを採用したマルチ・ファンクション・プリンタ（以下、ＭＦＰという。）１０を説明する。
【００１９】
図１は、ＭＦＰ１０の概略を示すブロック図である。同図に示すように、ＭＦＰ１０は、ＣＰＵ１２、ＲＯＭ１４、ＲＡＭ１６、画像形成部１８、表示部２０、送信部２２、画像読取部２４、受信部２６、記録部２８、操作部３０、およびファイル名生成部３２を備える。
【００２０】
ＣＰＵ１２は、ＲＯＭ１４に格納された複数のプログラムに基づいて、ＭＦＰ１０の各部を統括的に制御するように構成される。ＲＯＭ１４は、ＣＰＵ１２の動作に必要な複数のプログラムを格納する。ＲＡＭ１６は、ＣＰＵ１２が直接読み書き可能な揮発メモリであり、処理中のデータが一時的に格納される。
【００２１】
画像形成部１８は、画像データに基づいて用紙に対して画像形成処理を行う。画像形成部１８の構成例として、インクジェット方式の画像形成処理を行うものが挙げられるが、電子写真方式の画像形成処理を行う構成や、熱転写方式の画像形成処理を行う構成等を採用することも可能である。
【００２２】
表示部２０は、ユーザに通知すべき情報を表示するように構成される。表示部２０の構成例として液晶ディスプレイが挙げられるが、有機ＥＬディスプレイ等を採用することも可能である。
【００２３】
送信部２２は、画像ファイルや文書ファイル等を添付してＥ−ｍａｉｌの形式で送信したり、接続されているサーバにファイル転送を行ったりする機能を有する。また、送信部２２は、画像読取部２４が生成した画像データをファックス送信する機能を有する。
【００２４】
画像読取部２４は、原稿の画像情報を読み取り、読み取った画像データに基づいてファイル形式の画像データを生成する。画像読取部２４の構成例として、ＣＣＤを備えたスキャナ装置が挙げられるが、ＣＣＤ方式のスキャナに代えてＣＩＳ方式のスキャナを採用することも可能である。
【００２５】
受信部２６は、外部機器から送信されるファイルを受信する機能を有する。記録部２８は、記録すべき情報を記録可能な大容量記録部である。記録部２８の構成例としてハードディスクが挙げられるが、これに限定されるものではない。
【００２６】
操作部３０は、ユーザからのコマンド入力操作、設定操作、情報入力操作を受け付け可能に構成される。また、操作部３０を介して、ＭＦＰの動作モード（ＯＣＲ使用／非使用モード、オートモードＯＮ／ＯＦＦ等）に関するユーザの設定操作が行われる。操作部３０には、キーボードが設けられることが好ましいが、操作部３０にキーボードが無い場合には、表示部２０にソフトキーボードを表示して、操作部３０のキーにてこのソフトキーボード上でのキー入力を行うようにすると良い。また、表示部２０にタッチパネルを設け、これを操作部３０として用いることも可能である。
【００２７】
ファイル名生成部３２は、ＭＦＰ１０に入力した画像ファイルに対して、この画像ファイルに対応するファイル名を付与するように構成される。
【００２８】
図２に示すように、ファイル名生成部３２は、入力Ｉ／Ｆ３４、メモリ３６、制御部４０、および出力Ｉ／Ｆ３８を備える。入力Ｉ／Ｆ３４は、画像ファイルの入力を受け付けるように構成される。入力される画像ファイルは、画像読取部２４を介して入力されるものであっても、また、受信部２６を介して入力されるものであっても良い。メモリ３６は、入力Ｉ／Ｆ３４に入力された画像ファイルを一時的に保存するように構成される。
【００２９】
制御部４０は、ファイル名生成部４２、文字認識部４４、および文字列抽出部４６を備える。ファイル名生成部４２は、メモリ３６に保存される画像ファイルに付与するべきファイル名を生成する。文字認識部４４は、ファイル名を付与するべき画像ファイルに対して文字認識処理を行う。文字列抽出部４６は、ファイル名を生成するべき画像ファイルから、ファイル名を構成する要素となる文字列を抽出文字列として抽出する。出力Ｉ／Ｆ３８は、ファイル名が付与された画像ファイルを出力するように構成される。
【００３０】
さらに、図２に示すように、ファイル名生成部３２は、操作部３０、表示部２０、および記録部２８との間で通信を行う機能を有する。ここでは、ファイル名生成部３２は、操作部３０を介して、ファイル名を構成する要素となる文字列の入力を受け付ける。操作部３０を介して受け付けた文字列は、登録文字列として記録部２８に記録される。また、操作部３０を介して、ファイル名を構成する要素文字列の選択操作が実行可能である。この実施形態では、ファイル名生成部３２、表示部２０、記録部２８、および操作部３０によって本発明の実施形態に係るファイル名生成システム１００が構成される。ただし、ファイル名生成システム１００の構成は、これに限定されるものではない。
【００３１】
図３は、表示部２０の表示画面２００に表示された登録文字列の受け付け画面の例を示している。登録文字列は、ファイル管理を行うのに適した文字列であってユーザが自らの業務に合わせてあらかじめ登録するものである。登録文字列としては、通常良く使われるファイル名の基本ワードのように業務に即したものが好ましい。また、ユーザが分類分けして管理できるような文字列を登録文字列として登録することが好ましい。
【００３２】
図３に示すように、登録文字列の受け付け時には、登録文字列リスト２０２、入力文字列２０４、および操作メッセージ２０５が表示画面２００上に表示される。このとき、ソフトキーボード２０６を選択的に表示画面２００上に表示することもできる。ソフトキーボード２０６を用いることにより、少ない操作キーで、文字入力および漢字変換等の操作を行って文字列を入力することが可能になる。
【００３３】
図４は、画像ファイルに対してファイル名を付与するときにおける制御部４０の動作手順を示している。制御部４０は、画像ファイルが入力するまで待機している（Ｓ１）。
【００３４】
画像ファイルが入力すると、制御部４０は、画像ファイルをメモリ３６に保存し、このファイルに暫定的なデフォルトファイル名を付与する（Ｓ２）。Ｓ２のステップにおいて、デフォルトファイル名は、ＭＦＰ１０が保有する日時、時刻、機器、および名称連番等を適宜組み合わせて生成される。
【００３５】
続いて、制御部４０は、ＯＣＲ使用モードである旨の設定がされているか否かを判断する（Ｓ３）。ＯＣＲ使用モードとは、ファイル名生成時により適切なファイル名を付与すべく文字認識処理を実行するモードである。もし、ファイルに付与すべきファイル名に特に希望がない場合には、通常、ＯＣＲ非使用モードの設定がされる。
【００３６】
Ｓ３の判断ステップにおいて、ＯＣＲ使用モードでない場合には、Ｓ７のステップに移行し、制御部４０は、オートモードであるか否かを判断する（Ｓ７）。ここで、オートモードとは、ファイルにファイル名を自動的に付与するモードである。Ｓ７の判断ステップにおいて、オートモードである場合には、制御部４０は、暫定的に付与したデフォルトファイル名を付与すべきファイル名として確定する（Ｓ８）。これに対して、Ｓ７の判断ステップにおいて、オートモードでない場合には、表示部２０の表示画面２００にファイル名のマニュアル入力操作を促す表示を行い、ユーザにファイル名の編集を実行させる（Ｓ９）。
【００３７】
Ｓ８のステップまたはＳ９のステップのいずれを経た場合であっても、制御部４０は、所定時間（例えば、１０秒）だけユーザからファイル名の再編集処理操作があるか否かを判断する（Ｓ１０）。Ｓ１０のステップにおいて、ユーザからファイル名の再編集処理操作があった場合には、Ｓ１１のステップに移行し、表示部２０の表示画面２００にファイル名のマニュアル入力操作を促す表示を行い、ユーザにファイル名の再編集を実行させる（Ｓ１１）。
【００３８】
一方で、Ｓ３の判断ステップにおいて、ＯＣＲ使用モードである場合には、Ｓ４のステップに移行し、制御部４０は、オートモードであるか否かを判断する（Ｓ４）。Ｓ４の判断ステップにおいて、オートモードでない場合には、制御部４０は、後述するセミオートファイル名生成処理を実行する（Ｓ６）。これに対して、Ｓ４の判断ステップにおいて、オートモードである場合には、制御部４０は、後述するオートファイル名生成処理を実行する（Ｓ５）。
【００３９】
Ｓ５のステップまたはＳ６のステップのいずれを経た場合であっても、制御部４０は、所定時間（例えば、１０秒）だけユーザからファイル名編集処理操作があるか否かを判断する（Ｓ１０）。Ｓ１０のステップにおいて、ユーザからファイル名編集処理操作があった場合には、Ｓ１１のステップに移行し、表示部２０の表示画面２００にファイル名のマニュアル入力操作を促す表示を行い、ユーザにファイル名の編集を実行させる（Ｓ１１）。
【００４０】
図５は、セミオートファイル名生成処理時における制御部４０の処理手順を示すフローチャートである。また、図６は、セミオートファイル名生成処理時における表示画面２００の表示内容の例を示している。
【００４１】
セミオートファイル名生成処理時には、制御部４０は、文字認識部４４によって、ファイル名が付与されるべき画像ファイルに対して文字認識処理（ＯＣＲ処理）を実行する（Ｓ２１）。
【００４２】
続いて、制御部４０は、記録部２８に記録されている登録文字列を読み出す（Ｓ２２）。このとき、制御部４０は、記録部２８に記録されている登録文字列のうち、現在使用中のユーザに関連づけられた登録文字列のみを読み出すことが好ましいが、すべての登録文字列を読み出すようにしても良い。
【００４３】
続いて、制御部４０は、抽出文字列リスト２０８を作成する（Ｓ２３）。Ｓ２３の処理において、制御部４０は文字列抽出部４６によって、登録文字列と同一の文字列を認識したときに、この文字列に隣接する文字列（例えば、登録文字列の前に位置する文字列）を抽出文字列として抽出する。例えば、図６に示すように、「会議資料」という文字列が登録文字列として登録されている場合に、図７に示すファイルに対して抽出文字列リスト２０８の作成処理を実行した場合には、登録文字列の前に位置する「企画」という文字列が抽出文字列として抽出される。
【００４４】
また、Ｓ２３の処理において、文字列抽出部４６は、フォントサイズの大きな文字列、および強調（ボールド、イタリック、下線、括弧書き等）されたフォントを有する文字列から順に抽出文字列として抽出するようにしても良い。図７に示すファイルに対してこの抽出手法を適用する場合には、フォントサイズが大きい「社外秘」および「企画会議資料」が最初に抽出され、続いて、「次世代薄型ＴＶの実現」等の見出し文字列が抽出されることになる。このとき抽出した順に上から並べるように抽出文字列リスト２０８を作成すれば、ユーザが所望の文字列を抽出文字列リスト２０８から発見し易くなると考えられる。
【００４５】
さらに、Ｓ２３の処理において、文字列抽出部４６は、ユーザによって設定された指定範囲に含まれる文字列を抽出文字列として抽出するようにしても良い。範囲の指定の例としては、原稿の１ページ目、原稿の先頭から５行目まで、または、フォントサイズが一番大きい行に含まれる名詞といった指定方法が挙げられる。
【００４６】
これらの抽出文字列の抽出手法は、いずれか１つ適用しても良いし、互いに組み合わせて適用することも可能である。どのような抽出手法にするかについては、操作部３０を介してユーザが任意に設定可能にしておけば良い。
【００４７】
続いて、制御部４０は、付加要素リストを作成する（Ｓ２４）。付加要素とは、従来から使用されている日時、時刻、機器名称、連番等からなる文字列である。また、ＭＦＰ１０本体に内蔵しているリビジョンやユーザ名といった情報も付加要素となり得る。
【００４８】
続いて、制御部４０は、登録文字列、抽出文字列、および付加要素からなる要素文字列の一覧を表示部２０に表示させ（Ｓ２５）、ユーザから文字列選択操作がされるまで待機する（Ｓ２６）。
【００４９】
Ｓ２６のステップにおいて、ユーザは図６に示す表示画面２００を眺めながら、抽出文字列リスト２０８、登録文字列リスト２０２、または付加要素２１０の少なくとも１つから所望の文字列を選択する。抽出文字列リスト２０８から選択された文字列は枠２１２に表示され、登録文字列リストから選択された文字列は枠２１４に表示され、付加要素リスト２１０から選択された文字列は枠２１６に表示される。抽出文字列リスト２０８、登録文字列リスト２０２、または付加要素２１０から選択される文字列の数は１つに限定されるものではなく、複数であっても良いし、０個であっても良い。枠２１２、枠２１４、および枠２１６に表示された文字列を結合させた文字列が、ファイルに付与されるファイル名として決定される。
【００５０】
Ｓ２６のステップにおいて、ユーザからの文字列の選択操作がされるたびに、制御部４０はファイル名の更新処理を行い（Ｓ２７）、さらに文字列の追加があるか否かの判断を行う（Ｓ２８）。ユーザが所望するすべての文字列を選択したら、それらの文字列を結合してファイル名が生成され、セミオートファイル名生成処理が終了する。
【００５１】
Ｓ２６のステップにおいて、所定時間経過してもユーザからの文字列選択操作がされない場合や、文字列が選択されていない状態でユーザからキャンセルコマンドが入力された場合には、制御部４０は、暫定的に付与したデフォルトファイル名を付与すべきファイル名として確定する（Ｓ２９）。
【００５２】
図８は、セミオートファイル名生成処理時における表示画面２００の表示内容の例を示している。同図に示すように、登録文字列リスト２０２から２つの文字列を選択し、抽出文字列リストから１つも文字列を選択しないということも可能である。
【００５３】
図９は、オートファイル名生成処理における制御部４０の処理手順を示すフローチャートである。Ｓ３１〜Ｓ３５のステップについては、上述したＳ２１〜Ｓ２５のステップと同様であるので、ここでは説明を省略する。
【００５４】
オートファイル名生成処理では、セミオートファイル名生成処理と異なって、図６または図８に示す表示画面をユーザに提示することなく、制御部４０が登録文字列、抽出文字列、付加要素をランダムに選択してこれらを結合することによって、自動的にファイル名を生成する（Ｓ３６）。このとき制御部４０は、可能な限り、登録文字列または抽出文字列の少なくともいずれか一方をファイル名の一部または全部を構成する要素文字列として利用するようにする。
【００５５】
この場合においても、ユーザが登録している登録文字列と関連する文字列や、原稿に含まれている文字列を組み合わされてファイル名が生成されるため、従来の方法の生成されたファイル名に比較すると、より管理を行い易いファイル名を自動的にファイルに付与することが可能となる。
【００５６】
以上の実施形態によれば、ユーザは、ファイル名を構成する文字列の候補としての要素文字列を選択し、適宜組み合わせてファイル名を生成することが可能であるため、ファイル管理に適したファイル名を少ないキー操作によって生成することが可能となる。
【００５７】
特に、ユーザが分類分けして管理できるような文字列を予め登録しておき、ファイル名を生成する際に、それらの登録文字列やこれに関連する抽出文字列を適宜選択することにより、ファイル名生成作業の効率が著しく向上する。
【００５８】
上述の実施形態では、送信する画像ファイルに対するファイル名の付与について説明したが、この発明は、ファクシミリ受信等した受信ファイルを保存する際におけるファイル名の付与についても適用することが可能である。
【００５９】
また、抽出文字列、登録文字列、および付加要素をこの順番に並べる例を示したが、抽出文字列、登録文字列、および付加要素の順番を適宜入れ替えてファイル名を生成することも可能である。
【００６０】
さらに、ＭＦＰ１０を複数人で使用する場合には、ユーザごとにユーザ認証を行い、各ユーザに対応づけて記録された登録文字列を読み出すようにすることが好ましい。
【００６１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６２】
【図１】本発明の実施形態に係るＭＦＰの概略を示すブロック図である。
【図２】ＭＦＰのファイル名生成部の概略を示すブロック図である。
【図３】表示部の表示画面に表示される登録文字列の受け付け画面の例を示す図である。
【図４】画像入力時における制御部の動作手順の例を示す図である。
【図５】画像ファイルの一例を示す図である。
【図６】セミオートファイル名生成処理における制御部の動作手順を示すフローチャートである。
【図７】表示部の表示画面に表示される要素文字列の選択画面の例を示す図である。
【図８】表示部の表示画面に表示される要素文字列の選択画面の他の例を示す図である。
【図９】オートファイル名生成処理における制御部の動作手順を示すフローチャートである。
【符号の説明】
【００６３】
１０−ＭＦＰ
２０−表示部
２４−画像読取部
２８−記録部
３０−操作部
３２−ファイル名生成部
４０−制御部
４２−ファイル名生成部
４４−文字認識部
４６−文字抽出部
１００−ファイル名生成システム
【図１】
2010165019.tif 000003
【図２】
2010165019.tif 000004
【図３】
2010165019.tif 000005
【図４】
2010165019.tif 000006
【図５】
2010165019.tif 000007
【図６】
2010165019.tif 000008
【図７】
2010165019.tif 000009
【図８】
2010165019.tif 000010
【図９】
2010165019.tif 000011